(57)【要約】【目的】  光源光の利用効率を向上できる照明装置及びこれを用いた投写型映像表示装置を提供する。【構成】  投写型映像表示装置６Ａは３つのＬＥＤ光源１Ｒ，１Ｇ，１Ｂを備える。各ＬＥＤ光源１から出射された光はクロスダイクロイックミラー２によってロッドインテグレータ３の光入射面に導かれる。クロスダイクロイックミラー２の第１光入射領域（ＬＥＤ光源１Ｒに対向する領域）には、ダイクロイックミラー２３が設けられており、クロスダイクロイックミラー２の第２光入射領域（ＬＥＤ光源１Ｂに対向する領域）には、ダイクロイックミラー２４が設けられている。ダイクロイックミラー２３は赤色光を透過し、他の色光を反射する。ダイクロイックミラー２４は青色光を透過し、他の色光を反射する。【選択図】        図１
2005316406.tif 000002
【特許請求の範囲】
【請求項１】
対面する第１・第２光入射領域と一つの光出射領域と前記光出射領域に対面する第３光入射領域とを有し、各光入射領域から入射された各色光をそれぞれ略同一方向へ導いて前記光出射領域から出射する光路変更部材と、前記第１光入射領域に設けられ、赤色光を透過して赤色光以外の光を反射する第１ダイクロイックミラーと、前記第２光入射領域に設けられ、青色光を透過して青色光以外の光を反射する第２ダイクロイックミラーと、を備えたことを特徴とする光学部材。
【請求項２】
請求項１に記載の光学部材において、前記第１ダイクロイックミラーは、一旦前記光路変更部材内に入射して戻ってくる赤色光のうち所定角度範囲内の赤色光は反射するように光学設計されており、前記第２ダイクロイックミラーは、一旦前記光路変更部材内に入射して戻ってくる青色光のうち所定角度範囲内の青色光は反射するように光学設計されていることを特徴とする光学部材。
【請求項３】
請求項１又は請求項２に記載の光学部材において、前記光路変更部材はクロスダイクロイックミラーであることを特徴とする光学部材。
【請求項４】
請求項１又は請求項２に記載の光学部材において、前記光路変更部材はクロスダイクロイックプリズムであることを特徴とする光学部材。
【請求項５】
請求項１乃至請求項４のいずれかに記載の光学部材において、前記第１ダイクロイックミラーと前記第２ダイクロイックミラーは互いに非平行に配置されていることを特徴とする光学部材。
【請求項６】
請求項１乃至請求項５のいずれかに記載の光学部材と、前記第１光入射領域に配置された赤色光源と、前記第２光入射領域に配置された青色光源と、前記第３光入射領域に配置された緑色光源と、を備えたことを特徴とする照明装置。
【請求項７】
請求項６に記載の照明装置において、前記第３光入射領域から入射された緑色光の一部は前記第１ダイクロイックミラー又は前記第２ダイクロイックミラーに反射することによって前記光学部材の光出射領域から出射することを特徴とする照明装置。
【請求項８】
請求項６又は請求項７に記載の照明装置において、前記光学部材から出射された各色光の強度を照明対象物上で均一化する光インテグレータを備えたことを特徴とする照明装置。
【請求項９】
請求項８に記載の照明装置において、前記光インテグレータは中空又は非中空構造のロッドインテグレータであることを特徴とする照明装置。
【請求項１０】
請求項９に記載の照明装置において、前記第１ダイクロイックミラー及び前記第２ダイクロイックミラーの少なくとも一方と前記ロッドインテグレータの側面とが平行であることを特徴とする照明装置。
【請求項１１】
請求項８に記載の照明装置において、前記光インテグレータは一対のフライアイレンズから成ることを特徴とする照明装置。
【請求項１２】
請求項６乃至請求項１１のいずれかに記載の照明装置において、前記光源は固体発光素子から成ることを特徴とする照明装置。
【請求項１３】
請求項６乃至請求項１２のいずれかに記載の照明装置において、赤色光と緑色光と青色光が常時出射されるように構成されたことを特徴とする照明装置。
【請求項１４】
請求項６乃至請求項１２のいずれかに記載の照明装置において、赤色光と緑色光と青色光が所定時間ずつ順次に出射されるように構成されたことを特徴とする照明装置。
【請求項１５】
請求項１３に記載の照明装置と、一つのフルカラーライトバルブと、前記フルカラーライトバルブを経ることで得られた映像光を投写する投写手段と、を備えたことを特徴とする投写型映像表示装置。
【請求項１６】
請求項１４に記載の照明装置と、一つのライトバルブと、各色光の出射タイミングに同期して前記ライトバルブに各色用の映像信号を供給する手段と、前記ライトバルブを経ることで得られた映像光を投写する投写手段と、を備えたことを特徴とする投写型映像表示装置。
【請求項１７】
請求項６乃至請求項１４のいずれかに記載の照明装置において、前記赤色光源の近傍に、回路基板、記憶装置、外部機材装着部等の部材が配置されたことを特徴とする照明装置。
【請求項１８】
請求項１５又は請求項１６に記載の投写型映像表示装置において、前記赤色光源の近傍に、回路基板、記憶装置、外部機材装着部等の部材が配置されたことを特徴とする投写型映像表示装置。
【請求項１９】
請求項６乃至請求項１４又は請求項１７に記載の照明装置において、一次電池又は二次電池により駆動されることを特徴とする照明装置。
【請求項２０】
請求項１５又は請求項１６又は請求項１８に記載の投写型映像表示装置において、一次電池又は二次電池により駆動されることを特徴とする投写型映像表示装置。
【発明の詳細な説明】
【技術分野】
【０００１】
この発明は、光学部材及び照明装置及び投写型映像表示装置に関する。
【背景技術】
【０００２】
液晶プロジェクタなどに用いられる照明装置としては、超高圧水銀ランプ、メタルハライドランプ、キセノンランプ等のランプと、その照射光を平行光化するパラボラリフレクタから成るものが一般的である。また、かかる照明装置においては、照射面の光量むらを軽減するために、一対のフライアイレンズによるインテグレート機能( 光学デバイスにより平面内にサンプリング形成された所定形状の複数照明領域を照明対象物上に重畳集光する機能をいう）を持たせたものがある。更に、近年においては、発光ダイオード（ＬＥＤ）を光源として用いることも試みられている（特許文献１参照）。
【特許文献１】特開２００２−１８９２６３号
【発明の開示】
【発明が解決しようとする課題】
【０００３】
照明装置や投写型映像表示装置においては、光源から出射された光を有効利用することが望まれる。
【０００４】
この発明は、上記の事情に鑑み、光源から出射された光の利用効率を向上することができる光学部材及びこれを用いた照明装置及びこれを用いた投写型映像表示装置を提供することを目的とする。
【課題を解決するための手段】
【０００５】
この発明の光学部材は、上記の課題を解決するために、対面する第１・第２光入射領域と一つの光出射領域と前記光出射領域に対面する第３光入射領域とを有し、各光入射領域から入射された各色光をそれぞれ略同一方向へ導いて前記光出射領域から出射する光路変更部材と、前記第１光入射領域に設けられ、赤色光を透過して赤色光以外の光を反射する第１ダイクロイックミラーと、前記第２光入射領域に設けられ、青色光を透過して青色光以外の光を反射する第２ダイクロイックミラーと、を備えたことを特徴とする。
【０００６】
上記の構成であれば、光路変更部材に入射した非赤色光のうち第１光入射領域から出ようとする光は第１ダイクロイックミラーにて反射され、同様に、光路変更部材に入射した非青色光のうち第２光入射領域から出ようとする光は第２ダイクロイックミラーにて反射されることになり、これら反射した光が光路変更部材の光出射領域から出て行くことによって光利用効率が向上することになる。
【０００７】
上記構成の光学部材において、前記第１ダイクロイックミラーは、一旦前記光路変更部材内に入射して戻ってくる赤色光のうち所定角度範囲内の赤色光は反射するように光学設計されており、前記第２ダイクロイックミラーは、一旦前記光路変更部材内に入射して戻ってくる青色光のうち所定角度範囲内の青色光は反射するように光学設計されているのがよい。
【０００８】
これら構成の光学部材において、前記光路変更部材はクロスダイクロイックミラーであってもよい。或いは、前記光路変更部材はクロスダイクロイックプリズムであってもよい。また、これら構成の光学部材において、前記第１ダイクロイックミラーと前記第２ダイクロイックミラーは互いに非平行に配置されていてもよい。
【０００９】
また、この発明の照明装置は、上述したいずれかの光学部材と、前記第１光入射領域に配置された赤色光源と、前記第２光入射領域に配置された青色光源と、前記第３光入射領域に配置された緑色光源と、を備えたことを特徴とする。
【００１０】
上記構成の照明装置において、前記第３光入射領域から入射された緑色光の一部は前記第１ダイクロイックミラー又は前記第２ダイクロイックミラーに反射することによって前記光学部材の光出射領域から出射するのがよい。
【００１１】
また、これら構成の照明装置において、前記光学部材から出射された各色光の強度を照明対象物上で均一化する光インテグレータを備えていてもよい。
【００１２】
前記光インテグレータは中空又は非中空構造のロッドインテグレータであってもよい。かかる構成において、前記第１ダイクロイックミラー及び前記第２ダイクロイックミラーの少なくとも一方と前記ロッドインテグレータの側面とを平行としてもよい。
【００１３】
前記光インテグレータは前記ロッドインテグレータに限らず、一対のフライアイレンズから成っていてもよい。
【００１４】
また、これら構成の照明装置において、前記光源は固体発光素子から成っていてもよい。
【００１５】
これら構成の照明装置において、赤色光と緑色光と青色光が常時出射されるように構成されていてもよい（以下、この項において第１構成という）。或いは、これら構成の照明装置において、赤色光と緑色光と青色光が所定時間ずつ順次に出射されるように構成されていてもよい（以下、この項において第２構成という）。
【００１６】
また、この発明の投写型映像表示装置は、前記第１構成の照明装置と、一つのフルカラーライトバルブと、前記フルカラーライトバルブを経ることで得られた映像光を投写する投写手段と、を備えたことを特徴とする。
【００１７】
また、この発明の投写型映像表示装置は、前記第２構成の照明装置と、一つのライトバルブと、各色光の出射タイミングに同期して前記ライトバルブに各色用の映像信号を供給する手段と、前記ライトバルブを経ることで得られた映像光を投写する投写手段と、を備えたことを特徴とする。
【００１８】
上述したいずれかの照明装置において、前記赤色光源の近傍に、回路基板、記憶装置、外部機材装着部等の部材が配置されていてもよい。また、上述したいずれかの投写型映像表示装置において、前記赤色光源の近傍に、回路基板、記憶装置、外部機材装着部等の部材が配置されていてもよい。
【００１９】
上述したいずれかの照明装置は一次電池又は二次電池により駆動されるものでもよい。また、上述したいずれかの投写型映像表示装置は一次電池又は二次電池により駆動されるものでもよい。
【発明の効果】
【００２０】
この発明によれば、照明装置や投写型映像表示装置において光源光の利用効率を向上できるという効果を奏する。
【発明を実施するための最良の形態】
【００２１】
以下、この発明の実施例を図１乃至図５に基づいて説明していく。
【００２２】
図１は単板式の投写型映像表示装置６Ａの光学系を示した斜視図であり、図３はその照明装置の拡大図である。投写型映像表示装置６Ａは３つのＬＥＤ光源１Ｒ，１Ｇ，１Ｂを備える（以下、個々のＬＥＤ光源を特定しないで示すときには、符号”１”を用いる）。各ＬＥＤ光源１は、ＬＥＤ（発光ダイオード）がアレイ状に配置された構造を有する。各ＬＥＤ光源１の縦横比は液晶パネル４の縦横比に略一致させてもよい。ＬＥＤ光源１Ｒは赤色光を出射し、ＬＥＤ光源１Ｇは緑色光を出射し、ＬＥＤ光源１Ｂは青色光を出射する。ＬＥＤ光源１Ｇはクロスダイクロイックミラー２を挟んでロッドインテグレータ３の光入射面に対面して設けられ、ＬＥＤ光源１ＲとＬＥＤ光源１Ｂはクロスダイクロイックミラー２を挟んで互いに対面して配置されている。すなわち、クロスダイクロイックミラー２の第１光入射領域にはＬＥＤ光源１Ｒが設けられ、第２光入射領域にはＬＥＤ光源１Ｂが設けられ、第３光入射領域にはＬＥＤ光源１Ｇが配置される。なお、図示はしていないが、クロスダイクロイックミラー２の非光入射領域にミラー板を設けることでＬＥＤからの出射光の利用効率を高めるようにしてもよい。
【００２３】
クロスダイクロイックミラー２は、第１クロスダイクロイックミラー部２ａと第２クロスダイクロイックミラー部２ｂとをクロス配置して成る。第１クロスダイクロイックミラー部２ａは、赤色光を反射し赤色光以外の光を透過する。第２クロスダイクロイックミラー部２ｂは、青色光を反射し青色光以外の光を透過する。例えば、第１クロスダイクロイックミラー部２ａは二分割され、この二分割されたミラー部で第２クロスダイクロイックミラー部２ｂを挟み込んでいる。
【００２４】
クロスダイクロイックミラー２における二枚のダイクロイックミラー２ａ・２ｂの各々の一端側（光入射側における一端側）の縁を結ぶ面をクロスダイクロイックミラー２における光入射領域と定義する。クロスダイクロイックミラー２は、その対面する第１・第２光入射領域（赤色光入射領域と青色光入射領域）が互いに平行に形成されている。そして、クロスダイクロイックミラー２の第１光入射領域（ＬＥＤ光源１Ｒに対向する領域）には、ダイクロイックミラー２３が設けられており、クロスダイクロイックミラー２の第２光入射領域（ＬＥＤ光源１Ｂに対向する領域）には、ダイクロイックミラー２４が設けられている。そして、ダイクロイックミラー２３，２４も互いに平行に設けられている。ダイクロイックミラー２３は赤色光を透過し、他の色光を反射する。ダイクロイックミラー２４は青色光を透過し、他の色光を反射する。ダイクロイックミラー２３，２４が設けられていることにより、ＬＥＤ光源１Ｇから出射される緑色光の利用効率が向上する。また、ダイクロイックミラー２３，２４がロッドインテグレータの役割を有し、照明光の均一性が向上する。
【００２５】
各ＬＥＤ光源１から出射された色光はクロスダイクロイックミラー２によってロッドインテグレータ３の光入射領域に導かれる。ロッドインテグレータ３は、内面がミラー面とされた四角筒構造（中空構造）を有している。ロッドインテグレータ３の少なくとも光出射領域の縦横比は液晶パネル４の縦横比に略一致している。ロッドインテグレータ３は各ＬＥＤ光源１からの各色光を前記ミラー面にて反射させて液晶パネル４に導くので、各色光の光強度分布は液晶パネル４（照明対象物）上でほぼ均一化されることになる。
【００２６】
前記ロッドインテグレータ３の側面は前記ダイクロイックミラー２３，２４と平行又は略平行に形成されている。更に、前記ロッドインテグレータ３の側面は前記光入射領域と面一に形成されている（図３参照）。また、前記クロスダイクロイックミラー２の対面する二つの非光入射領域（前述したミラー板が配置される領域）も互いに平行に形成され、前記ロッドインテグレータ３の側面は前記非光入射領域と平行又は略平行に形成されている。更に、前記ロッドインテグレータ３の側面は前記非光入射領域と面一に形成されている。ＬＥＤ光源１Ｒ及びＬＥＤ光源１Ｂにおける主光線軸は、各光入射領域に直交している。また、ＬＥＤ光源１Ｒ及びＬＥＤ光源１Ｂにおける主光線軸は、第１クロスダイクロイックミラー部２ａ及び第２クロスダイクロイックミラー部２ｂに対して４５°の角度で交差する。
【００２７】
液晶パネル４は、ＲＧＢカラーフィルタを備えた構造、或いはＲＧＢカラーフィルタを備えない構造を有する。ＲＧＢカラーフィルタを備える構造の液晶パネル４を用いる場合には、全ＬＥＤ光源１Ｒ，１Ｇ，１Ｂを同時点灯して白色光を液晶パネル４に導く。前記ＲＧＢカラーフィルタを備えない構造の液晶パネル４を用いる場合には、ＬＥＤ光源１Ｒ，１Ｇ，１Ｂを時分割で順次に所定時間点灯させると共に、この所定時間点灯のタイミングに同期させて液晶パネル４に各色の映像信号を供給する。
【００２８】
液晶パネル４を透過することで変調された光（映像光）は、投写レンズ５によって拡大投写され、図示しないスクリーン上に投影表示される。
【００２９】
ＬＥＤ光源１は、平行光化用のレンズを備えていてもよい。また、ＬＥＤ光源１は、例えば、ＬＥＤチップがアレイ状に配置され且つ各ＬＥＤチップの光出射側にレンズセル（例えば、平行光化用）をモールド等により配置して成るものを用いることができる。アレイ状のＬＥＤ光源１に代えて、１個のＬＥＤから成る光源を用いてもよい。
【００３０】
偏光変換装置をロッドインテグレータ３の光出射側に設けてもよい。この場合の偏光変換装置はロッドインテグレータ３の光出射部の大きさに対応した単一のＰＢＳ（偏光ビームスプリッタ）と、このＰＢＳにおける偏光分離膜に平行に設けられたミラーと、前記ミラー又はＰＢＳの光出射側に設けた位相差板とを備えればよい。ただし、この場合には、偏光変換装置の光出射部の大きさはロッドインテグレータ３の光出射部の大きさの２倍になる。従って、偏光変換装置の光出射部の全体形状が液晶パネルの縦横比に略一致させるのが望ましい。この場合、液晶パネルの縦横比をＡ：Ｂとすると、ロッドインテグレータ３の光出射領域の縦横比は例えばＡ：Ｂ／２となる。また、ロッドインテグレータ３の光出射部だけでなく光入射部の縦横比をもＡ：Ｂ／２としてもよい。この場合、クロスダイクロイックミラー２とロッドインテグレータ３の光入射部との間にアナモフィック光学系を設け、光束の縦横比を調整すればよい。
【００３１】
また、偏光変換装置を各ＬＥＤの光出射側に設けてもよい。この場合の偏光変換装置はＬＥＤの光出射部の大きさに略一致した単一のＰＢＳと、このＰＢＳにおける偏光分離膜に平行に設けられたミラーと、前記ミラー又はＰＢＳの光出射側に設けた位相差板とを備えればよい。
【００３２】
偏光変換装置は単一のＰＢＳから成るものに限るものではなく、一つのＬＥＤに対して二つのＰＢＳを用いてもよい。この場合、二つのＰＢＳにおける偏光分離膜は側面から見て＜形状に設けられ、前記＜形状の先鋭側にＬＥＤが配置される。また、一列に並べられた複数のＬＥＤに対して前記二つのＰＢＳを用いることもできる。この場合、一列に並べられた複数のＬＥＤは前記＜形状の先鋭側に配置される。また、偏光分離膜としては誘電体多層膜或いはワイヤーグリッドを用いることができる。
【００３３】
クロスダイクロイックミラー２に代えて、図２に示すクロスダイクロイックミラー２１を用いてもよい。このクロスダイクロイックミラー２１は、第１クロスダイクロイックミラー部２１１と第２クロスダイクロイックミラー部２１２とをクロス配置に備えている。第１クロスダイクロイックミラー部２１１は、赤色光を反射し赤色光以外の光を透過する。第２クロスダイクロイックミラー部２１２は、青色光を反射し青色光以外の光を透過する。第１クロスダイクロイックミラー部２１１は分割部２１１ａ及び分割部２１１ｂから成り、第２クロスダイクロイックミラー部２１２は分割部２１２ａ及び分割部２１２ｂから成る。クロスダイクロイックミラー２１は、これら４枚の分割部が各々の角辺を近接させてクロス配置された構造を有する。かかる構造を有することで、クロスダイクロイックミラー２で生じがちな問題（投影映像に境界線（暗線，縦すじ）が入る等）が解決される。
【００３４】
図４に示す投写型映像表示装置６Ｂはクロスダイクロイックミラー２２及びロッドインテグレータ３１を備えている。クロスダイクロイックミラー２２は、対面する第１・第２光入射領域が互いに非平行に形成されてテーパ形状を成している。そして、二つのダイクロイックミラー２３，２４は前記第１・第２光入射領域の非平行に合わせて互いに非平行に配置されている。前記クロスダイクロイックミラー２２の対面する二つの非光入射領域（前述したミラー板が配置される領域）も互いに非平行に形成されている。対面する第１・第２光入射領域と対面する二つの非光入射領域のいずれか一組だけを非平行としてもよい。テーパ形状のクロスダイクロイックミラー２２において図２に示した４分割の構成を採用してもよい。
【００３５】
クロスダイクロイックミラー２２の光出射領域は、第３光入射領域よりも小さくされており、このような構成においてはダイクロイックミラー２３，２４の存在が一層効果的になる。光出射領域を第３光入射領域よりも大きくした構成を採用してもよく、かかる構成においては、光の分散角を小さくすることができる。この場合も、二つのダイクロイックミラー２３，２４は、第１・第２光入射領域の非平行に合わせて互いに非平行に配置される。
【００３６】
ロッドインテグレータ３１の対面する二側面は前記クロスダイクロイックミラー２１の第１・第２光入射領域と平行又は略平行に形成されてテーパ形状を成している。更に、前記ロッドインテグレータ３１の前記二側面は前記第１・第２光入射領域と面一に形成されている。前記ロッドインテグレータ３１の他の対面する二側面は前記クロスダイクロイックミラー２１の非光入射領域と平行又は略平行に形成されている。更に、前記ロッドインテグレータ３１の前記二側面は前記非光入射領域と面一に形成されている。前記ロッドインテグレータ３１の光出射領域はその光入射領域よりも小さい。ロッドインテグレータ３１の光出射領域をその光入射領域よりも大きくした構成を採用してもよく、かかる構成においては、光の分散角を小さくすることができる。
【００３７】
図４に示す構成例では、クロスダイクロイックミラー２２における第１クロスダイクロイックミラー部２２ａと第２クロスダイクロイックミラー部２２ｂとは非直角に交差している。前記クロスダイクロイックミラー部２２ａ，２２ｂにて反射された光源の主光線軸が互いに平行となるように、ＬＥＤ光源１Ｒ及びＬＥＤ光源１Ｂの主光線軸が調整されている。勿論、第１クロスダイクロイックミラー部２２ａと第２クロスダイクロイックミラー部２２ｂとは直角に交差していてもよい。この場合には、ＬＥＤ光源１Ｒ及びＬＥＤ光源１Ｂにおける主光線軸は、各クロスダイクロイックミラー部に対して４５°の角度で交差する。
【００３８】
図５は投写型映像表示装置６Ａ，６Ｂの信号処理系の一例を示した説明図である。投写型映像表示装置６は、映像信号処理回路６３、ガンマ補正回路６４、液晶パネル４等を備え、ＬＥＤ光源１から出射された光を前記液晶パネル４にて変調して投写する。電池（一次電池又は二次電池）６１は、各回路及びＬＥＤ光源に電力を供給する。投写型映像表示装置６のマイコン（マイクロコンピュータ）６６は、無線ＬＡＮカード４１を介してパーソナルコンピュータ５０から受信した画像データ（符号データ）やメモリインターフェイス６８にてメモリカードから読み出した画像データ（符号データ）を映像復号部６２に供給する。
【００３９】
映像復号部６２は符号データを復号して映像信号を生成し、これをＯＳＤ（オンスクリーンディスプレイ）内蔵の映像信号処理回路６３に供給する。マイコン６６は、無線ＬＡＮカード４を介して文字データを受信した場合などには、その文字をＯＳＤ表示するよう映像信号処理回路６３を制御することもできる。また、投写型映像表示装置６Ａ，６Ｂにはリモコン信号受光部６７が設けられており、リモコン送信機６０によって投写型映像表示装置６Ａ，６Ｂを操作することができる。
【００４０】
無線ＬＡＮカード４１の装填部、メモリカード６８の装填部、或いは、他の回路基板などは、ＬＥＤ光源１Ｒの近傍に配置している。各ＬＥＤ光源１は発光に際して発熱するため、放熱板上にＬＥＤ光源を構成することが望ましい。このような光源冷却に鑑みた場合、例えば放熱板を大きくすると回路基板等の設置スペースが狭くなり、放熱板を小さくすると回路基板等の設置スペースは広くなる。ここで、ＬＥＤ光源１Ｒは、他のＬＥＤ光源に比べて発熱量は低いものとなっている。この実施形態では、無線ＬＡＮカード４１の装填部、メモリカード６８の装填部、或いは、他の回路基板などは、ＬＥＤ光源１Ｒの近傍に配置することとしており、この配置のためにＬＥＤ光源１Ｒ用の放熱板が小さくなったとしても光源冷却に対する影響は小さいことになる。別言すれば、投写型映像表示装置６の小型化のために光学系に近接して回路基板等を配置しつつ光学系の冷却等に対する影響を小さくできる。勿論、このような構成（赤色光源の近傍に、回路基板、記憶装置、外部機材装着部等の部材を配置する構成、一次電池又は二次電池により駆動される構成）は、照明装置としての構成にも適用することができる。
【００４１】
以上の説明において、投写型映像表示装置６Ａ，６Ｂは透過型の液晶パネルを用いることとしたが、これに限らず、反射型の液晶パネルを用いてもよいし、これら液晶パネルに替えて、画素となる微小ミラーを個々に駆動するタイプの表示パネルを用いることとしてもよい。また、固体発光素子は発光ダイオード（ＬＥＤ）に限るものではなく、有機／無機のエレクトロルミネッセンスなどを用いることができる。
【００４２】
また、以上説明した照明装置において、光インテグレータとして非中空構造のガラスロッドインテグレータを用いることもできる。また、光インテグレータとして一対のフライアイレンズから成るインテグレータレンズを用いることもできる。光源から出射される光束において十分な均一性が得られる場合には光インテグレータを省略することができる。また、クロスダイクロイックミラーに代えてクロスダイクロイックプリズムを用いることもできる。また、光源は固体発光素子に限定されるものではない。また、投写レンズに代えて投写用の曲面ミラーを備えてもよい。また、クロスダイクロイックミラー２（２１，２２）とダイクロイックミラー２３とダイクロイックミラー２４とが一体化されていてもよい。
【００４３】
また、ダイクロイックミラー２３は、一旦前記光路変更部材（クロスダイクロイックプリズム又はクロスダイクロイックミラー）内に入射して戻ってくる赤色光のうち所定角度範囲内（例えば、７０°から９０°）の赤色光は反射するように光学設計されているのがよい。更に、ダイクロイックミラー２４は、一旦前記光路変更部材内に入射して戻ってくる青色光のうち所定角度範囲内（例えば、７０°から９０°）の青色光は反射するように光学設計されているのがよい。ダイクロイックミラー２３，２４が例えば誘電体多層膜で形成される場合、誘電体多層膜の材質、膜厚、積層数等を調整することで、前記所定角度範囲を設計することができる。
【図面の簡単な説明】
【００４４】
【図１】この発明の実施形態の投写型映像表示装置（照明装置）の光学系を示した説明図である。
【図２】クロスダイクロイックミラーを示した断面図である。
【図３】この発明の実施形態の投写型映像表示装置（照明装置）の光学系を示した平面図である。
【図４】この発明の他の実施形態の投写型映像表示装置（照明装置）の光学系を示した平面図である。
【図５】この発明の実施形態の投写型映像表示装置の信号処理系等を示した説明図である。
【符号の説明】
【００４５】
１    ＬＥＤ光源
２    クロスダイクロイックミラー
２１  クロスダイクロイックミラー
２２  クロスダイクロイックミラー
２３  ダイクロイックミラー
２４  ダイクロイックミラー
３    ロッドインテグレータ
３１  ロッドインテグレータ
４    液晶パネル
５    投写レンズ
６Ａ，６Ｂ    投写型映像表示装置
【図１】
2005316406.tif 000003
【図２】
2005316406.tif 000004
【図３】
2005316406.tif 000005
【図４】
2005316406.tif 000006
【図５】
2005316406.tif 000007